(57)【要約】【課題】各種電子機器の操作パネル等に使用される可動接点体およびそれを用いて構成したパネルスイッチに関し、操作パネルの照光状態が均一的にできるものを提供することを目的とする。【解決手段】下面の粘着剤２で可動接点３の上面を粘着保持したベースシート１の上面に、ＬＥＤ用孔１Ａにあわせて中孔１１Ａが設けられた略枠形状で、下面に粘着剤２を備えた灰色のＰＥＴ等からなる減光手段としての色付きフィルム１１を貼りつけた構成とした。【選択図】図１
2007214005.tif 000002
【特許請求の範囲】
【請求項１】
下面の所定位置に複数の可動接点を有すると共に、照光用ＬＥＤの位置に対応してＬＥＤ用孔が設けられた白色または透明な絶縁性フィルムからなるベースシートと、そのベースシートの上記ＬＥＤ用孔の周囲位置上面に上記照光用ＬＥＤからの光を抑える減光手段が設けられた可動接点体。
【請求項２】
減光手段が、色付きフィルムまたは色付き塗膜である請求項１記載の可動接点体。
【請求項３】
減光手段が、ＬＥＤ用孔から離れるしたがって色が薄くなるグラデーションに彩色されている請求項１記載の可動接点体。
【請求項４】
上面に複数の固定接点と照光用ＬＥＤが配された配線基板に対し、請求項１記載の可動接点体を用い、その可動接点を上記固定接点に対応させて上記可動接点体を上記配線基板上に配することにより、上記可動接点に応じた位置に複数の押圧スイッチが構成されたパネルスイッチ。
【発明の詳細な説明】
【技術分野】
【０００１】
本発明は、各種電子機器の操作パネル等に使用される可動接点体およびそれを用いて構成したパネルスイッチに関するものである。
【背景技術】
【０００２】
近年、各種電子機器は携帯して使用するものも増え、小型軽量化が進められると共に、その電子機器の操作パネルに用いられるパネルスイッチについても、厚さが薄くできて、操作時に良好な感触が得られ、しかも、電気的に安定した接触が得られることなどから、ドーム状に加工された弾性を有する導電金属板からなる可動接点を、絶縁性フィルム下面に粘着配置して構成した、所謂可動接点体を用いたものが多く採用されるようになっている。
【０００３】
このような従来の可動接点体およびそれを用いて構成したパネルスイッチについて、図５〜図８を用いて説明する。
【０００４】
図５は従来の可動接点体の断面図、図６は同分解斜視図、図７は同可動接点体を用いて構成したパネルスイッチの断面図、図８は従来のパネルスイッチが組み込まれて構成された操作パネルの断面図である。
【０００５】
同図において、１は、外形を定型に加工され、その下面に粘着剤２を備えた可撓性を有する白色または透明な絶縁性フィルムからなるベースシート、３は、ドーム状に加工形成された弾性を有する導電金属薄板からなる可動接点であり、ベースシート１の下面に形成された粘着剤２で、複数個の可動接点３の上面が粘着されることにより各可動接点３はベースシート１に保持されている。また、ベースシート１には、所定位置にＬＥＤ用孔１Ａが設けられている。以上のように従来の可動接点体は構成されている。
【０００６】
なお、図示などは省略するが、この可動接点体は、通常、輸送保管時などに、粘着剤２の露出部分に対し、表面が離型処理された絶縁性フィルムからなるセパレータが、ベースシート１の下面全体を覆うように貼り合わされた形態となされる。
【０００７】
そして、上記セパレータ付きの形態とされた従来の可動接点体は、図７の断面図に示すように、その使用時には、セパレータが剥がし取られて露出した粘着剤２で、それぞれの可動接点３に対応する固定接点４が配設された配線基板５上に、接点どうしの位置を合わせて貼り付け装着されることにより、可動接点３の配置位置毎に押圧スイッチが構成されたパネルスイッチ６として使用される。
【０００８】
この配線基板５には照光用ＬＥＤ７が実装されており、上記パネルスイッチ６としてなされた際に、その照光用ＬＥＤ７は、ベースシート１に設けられたＬＥＤ用孔１Ａ内に位置するようにして組み合わせられる。
【０００９】
そして、図８の断面図に示すように、そのパネルスイッチ６の上部に、複数の可動接点３位置のそれぞれに対応したキー操作ボタン８Ａを有したボタンシート８、さらにその上方から電子機器のケース９が配されて操作パネルとして構成される。上記ケース９は、上記キー操作ボタン８Ａの上部位置を除きボタンシート８の上方を覆うようにして配され、上記キー操作ボタン８Ａのそれぞれの上部は、ケース９に設けられたボタン孔９Ａから露出している。
【００１０】
そして、上記照光用ＬＥＤ７から発せられる光が、白色または透明なベースシート１で導かれるなどしてケース９から露出したキー操作ボタン８Ａの上部が照光されるものであった。
【００１１】
なお、この出願の発明に関連する先行技術文献情報としては、例えば、特許文献１が知られている。
【特許文献１】特開２００５−２２２７８６号公報
【発明の開示】
【発明が解決しようとする課題】
【００１２】
しかしながら、上記従来の可動接点体およびそれを用いて構成したパネルスイッチにおいては、照光用ＬＥＤ７からの光による照光状態が、ベースシート１のＬＥＤ用孔１Ａに近いキー操作ボタン８Ａは明るく、照光用ＬＥＤ７から離れたキー操作ボタン８Ａほど暗くなるため、操作パネルのキー操作ボタン８Ａの照光状態に偏りが生じるという課題があった。
【００１３】
一方、面発光が可能なＥＬ（エレクトロルミネッセンス）素子を用いる構成もあるが、その構成とすると、ＥＬを発光させるためのインバータ等の付属部品が増えてしまい、薄型化や軽量化に対して不利になると共にコストアップするという課題があった。
【００１４】
本発明は、このような従来の課題を解決するものであり、操作パネルの照光状態が均一的なものにできる可動接点体およびそれを用いて構成したパネルスイッチを提供することを目的とする。
【課題を解決するための手段】
【００１５】
上記目的を達成するために本発明は、以下の構成を有するものである。
【００１６】
本発明の請求項１に記載の発明は、下面の所定位置に複数の可動接点を有すると共に、照光用ＬＥＤの位置に対応してＬＥＤ用孔が設けられた白色または透明な絶縁性フィルムからなるベースシートと、そのベースシートの上記ＬＥＤ用孔の周囲位置上面に上記照光用ＬＥＤからの光を抑える減光手段が設けられた可動接点体であり、照光用ＬＥＤ近傍の光が減光手段により抑えられたものにできることから、照光状態が均一的な操作パネルを構成できる可動接点体を提供することができるという作用を有する。
【００１７】
請求項２に記載の発明は、請求項１記載の発明において、減光手段が、色付きフィルムまたは色付き塗膜であるものであり、簡易な構成で減光することができ、コストアップを抑えて均一的な照光状態のものが安価に得られるという作用を有する。
【００１８】
請求項３に記載の発明は、請求項１記載の発明において、減光手段が、ＬＥＤ用孔から離れるしたがって色が薄くなるグラデーションに彩色されているものであり、照光用ＬＥＤからの距離に順じて滑らかに減光されるものにできるという作用を有する。
【００１９】
請求項４に記載の発明は、上面に複数の固定接点と照光用ＬＥＤが配された配線基板に対し、請求項１記載の可動接点体を用い、その可動接点を上記固定接点に対応させて上記可動接点体を上記配線基板上に配することにより、上記可動接点に応じた位置に複数の押圧スイッチが構成されたパネルスイッチであり、電子機器の操作パネルの照光状態が均一的なものにできるパネルスイッチを提供できるという作用を有する。
【発明の効果】
【００２０】
以上のように本発明によれば、電子機器の操作パネルの照光状態が均一的なものにできる可動接点体およびそれを用いて構成したパネルスイッチを提供できるという有利な効果が得られる。
【発明を実施するための最良の形態】
【００２１】
以下、本発明の実施の形態について、図１〜図４を用いて説明する。
【００２２】
なお、従来の技術の項で説明した構成と同一構成の部分には同一符号を付して、詳細な説明を簡略化する。
【００２３】
（実施の形態）
図１は本発明の一実施の形態による可動接点体の断面図、図２は同分解斜視図、図３は同可動接点体を用いて構成したパネルスイッチが組み込まれて構成された操作パネルの断面図である。
【００２４】
同図において、１は、白色または透明なＰＥＴ等の絶縁性フィルムからなり、所定位置にＬＥＤ用孔１Ａが設けられたベースシートであり、その下面全面には粘着剤２が備えられている。３は、ステンレス等の弾性を備えた導電金属薄板からなる上方に膨らんだ円形ドーム状に形成された可動接点であり、上記ベースシート１下面の粘着剤２により複数の可動接点３はそのドーム状の上面が粘着されてそれぞれベースシート１の所定位置に保持されている。
【００２５】
そして、１１は、上記ＬＥＤ用孔１Ａにあわせて、中孔１１Ａが設けられた略枠形状で灰色のＰＥＴ等からなる色付きフィルムである。この色付きフィルム１１が減光手段としてなり、その下面には粘着剤２を備えている。そして、上記色付きフィルム１１が、ＬＥＤ用孔１Ａにその中孔１１Ａを合わせるようにしてベースシート１の上面に貼付されている。
【００２６】
当該実施の形態による可動接点体は、以上のように構成されるものである。そして、従来の形態と同じく図示はしないが、その輸送保管時などには、ベースシート１の粘着剤２の露出部分に対し、表面が離型処理された絶縁性フィルムからなるセパレータ（図示せず）がベースシート１の下面全体を覆うように貼り合わされた形態となされる。
【００２７】
そして、上記可動接点体は、上面に複数の固定接点４が所定位置に配され、かつ照光用ＬＥＤ７が実装された電子機器の配線基板５に対し、図３に示すように、各可動接点３を上記固定接点４の位置に対応させてベースシート１下面の粘着剤２で貼り付け装着されることによってドーム状の可動接点３と固定接点４を対とする複数の押圧スイッチを備えたパネルスイッチ１０に構成されて使用される。その状態で、照光用ＬＥＤ７はＬＥＤ用孔１Ａ内に位置してＬＥＤ用孔１Ａから露出している。
【００２８】
なお、ベースシート１下面の粘着剤２を可動接点３の保持部分のみに形成したものとして、配線基板５上あるいは電子機器のケース９側に設けられたボスなどでベースシート１を位置決め配置してパネルスイッチを構成するようにしてもよい。
【００２９】
そして、そのパネルスイッチ１０の上部には、上記可動接点３の位置に合わせてキー操作ボタン８Ａを備えたボタンシート８が配されると共に、キー操作ボタン８Ａの上部をボタン孔９Ａから露出させて、ボタンシート８の上に電子機器のケース９が配されて操作パネルに構成される。
【００３０】
この操作パネルは、操作者の指などでキー操作ボタン８Ａを押圧操作すると、そのキー操作ボタン８Ａが下がって色付きフィルム１１およびベースシート１を介して可動接点３のドーム状頂点部を押下し、その力が所定の大きさを超えると可動接点３のドーム状部分が節度を伴って反転し、その下面が下方に対峙した固定接点４と接触することによってスイッチＯＮ状態となるものである。
【００３１】
一方、図３からも判るように照光用ＬＥＤ７の直上部がケース９で覆われている当該構成の操作パネルは、照光用ＬＥＤ７から発せられた光が白色または透明なベースシート１で導かれて、その上部に配されたボタンシート８を下方から照光し、電子機器の外方からは操作パネルにおけるケース９のボタン孔９Ａから上方に露出したキー操作ボタン８Ａが照光されて認識できるものとなる。
【００３２】
ここで、当該構成のものにおいては、照光用ＬＥＤ７の周囲を取り囲むようにして、ベースシート１上面に灰色の色付きフィルム１１が貼付されているので、操作パネルに構成されて照光用ＬＥＤ７の発光がなされた際に、照光用ＬＥＤ７の周辺の光が減光され、その近傍のキー操作ボタン８Ａの明るさが抑えられて、照光用ＬＥＤ７から離れた位置にあるキー操作ボタン８Ａの照らされる明るさと差が少ないものとなる。なお、照光用ＬＥＤ７が可動接点体から表出しているため、照光用ＬＥＤ７からの光としては、可動接点体上の空間内で反射などして、直接キー操作ボタン８Ａに届くものもあるが、色付きフィルム１１での光の反射時などに光の吸収がなされるため、直接届く光の差も少ないものとなる。
【００３３】
このように当該実施の形態によれば、照光用ＬＥＤ７を取り囲むようにベースシート１上に粘着配置された色付きフィルム１１の作用により、照光用ＬＥＤ７の近傍のキー操作ボタン８Ａの明るさが抑えられて、離れた位置にあるキー操作ボタン８Ａとの照光状態の差の少ない均一的な照光状態の操作パネルを実現することができる。
【００３４】
なお、この灰色の色付きフィルム１１の色の濃さを、照光用ＬＥＤ７が露出する中孔１１Ａの周囲は濃くし、中孔１１Ａから離れるにつれて次第に薄くするグラデーションに彩色したものとすれば、照光用ＬＥＤ７からの距離に順じて滑らかに減光されていくものにもできる。
【００３５】
また、色付きフィルム１１の色は灰色のみに限定されるものではなく、またその濃さについても搭載される電子機器のデザイン等とのバランスを配慮しながら適宜決めればよい。
【００３６】
また、減光手段としては、色付きフィルム１１の貼付でなく、ベースシート１上面に印刷等で形成した色付き塗膜で行うものでも良く、そのいずれのものも簡易な構成で減光可能であるため、コストアップを抑えて均一的な照光状態が得られるものを安価に構成できる。
【００３７】
さらに、減光手段が施された可動接点体において、さらなる応用を図った構成としてもよい。その事例について、図４を用いて以下に説明する。
【００３８】
同図に示したものは、上記に説明したものと同じく減光手段として色付きフィルム１２を貼り付け装着して構成したものである。
【００３９】
ここで、その色付きフィルム１２としては、ベースシート１の形状にほぼ大きさを合わせたものを用いると共に、照光用ＬＥＤ７に応じた位置および所定のキー操作ボタンの下方位置に応じた位置に角孔１２Ａおよび丸孔１２Ｂを設けたものとしている。なお、貫通する丸孔１２Ｂを備えさせる以外に、その位置が透明なものであってもよい。
【００４０】
そして、この色付きフィルム１２が備えられた可動接点体であれば、丸孔１２Ｂに対応するキー操作ボタンのみが明るく照光される操作パネルに構成することができ、特に強調したいキー操作ボタンを明るく示して残りのキー操作ボタンを目立たなく照光させたいものを必要とする場合などに有用である。
【００４１】
なお、色付きフィルムなどをベースシートに配する代わりに、ベースシート自体が部分的に彩色されて減光手段が構成されていてもよい。また、照光用部材としても、ＬＥＤのみに限られることはなく、小型のランプ等、発光機能を備えた部材で照光されるものに対して本発明を適用してもよい。
【産業上の利用可能性】
【００４２】
本発明による可動接点体およびそれを用いて構成したパネルスイッチは、電子機器の操作パネルの照光状態が均一的なものにできるという特徴を有し、各種電子機器の操作パネルを構成する際等に有用である。
【図面の簡単な説明】
【００４３】
【図１】本発明の一実施の形態による可動接点体の断面図
【図２】同分解斜視図
【図３】同可動接点体を用いて構成したパネルスイッチが組み込まれて構成された操作パネルの断面図
【図４】同他の構成の可動接点体の分解斜視図
【図５】従来の可動接点体の断面図
【図６】同分解斜視図
【図７】同可動接点体を用いて構成したパネルスイッチの断面図
【図８】従来のパネルスイッチが組み込まれて構成された操作パネルの断面図
【符号の説明】
【００４４】
１  ベースシート
１Ａ  ＬＥＤ用孔
２  粘着剤
３  可動接点
４  固定接点
５  配線基板
７  照光用ＬＥＤ
８  ボタンシート
８Ａ  キー操作ボタン
９  ケース
９Ａ  ボタン孔
１０  パネルスイッチ
１１，１２  色付きフィルム
１１Ａ  中孔
１２Ａ  角孔
１２Ｂ  丸孔
【図１】
2007214005.tif 000003
【図２】
2007214005.tif 000004
【図３】
2007214005.tif 000005
【図４】
2007214005.tif 000006
【図５】
2007214005.tif 000007
【図６】
2007214005.tif 000008
【図７】
2007214005.tif 000009
【図８】
2007214005.tif 000010